【手続補正書】
【提出日】平成19年3月12日(2007.3.12)
【手続補正１】
【補正対象書類名】明細書
【補正対象項目名】特許請求の範囲
【補正方法】変更
【補正の内容】
【特許請求の範囲】
【請求項１】  メモリと、
無線通信装置の動作を制御するためにメモリに記憶される主プログラムと、
主プログラムから独立してメモリ中にプログラム可能な選択可能なオプション機能のセットと、
独立的にプログラムされた選択可能なオプション機能のセットの少なくとも１つに関連した識別素子と、
主プログラムを選択可能なオプション機能のセットと関連させるためのリンク素子とを含んでおり、
主プログラムが識別素子を使用して、独立的にプログラムされた選択可能なオプション機能のセットの少なくとも１つと対話し、
前記リンク素子は前記選択可能なオプション機能のセットが前記メモリ中に記憶された状態になったことを示すように外部プログラマにより設定されるインジケータを有している無線通信装置。
【請求項２】  前記リンク素子は主プログラムの一部分であり、前記メモリ中の複数の対応した記憶位置を識別するための複数のポインタを含み、前記複数の対応した記憶位置が対応した選択可能なオプション機能をセット中に記憶している請求項１記載の装置。
【請求項３】  前記主プログラムは前記選択可能なオプション機能のセットの１つに対応した記憶位置を求めてメモリをサーチするためのサーチプログラムを含んでおり、前記記憶位置は、前記選択可能なオプション機能のセットの１つが記憶位置に記憶された状態になったことを示すインジケータを備えている請求項１記載の装置。
【請求項４】  選択可能なオプション機能のセットは、前記選択可能なオプション機能のセットの１つが記憶される記憶位置を識別するためのポインタを含んでいる請求項１記載の装置。
【請求項５】  前記選択可能なオプション機能のセットの少なくとも１つとして、ダイヤルプランシステム、暗号化システム、ブラウザシステムまたは言語システムの選択された１つが含まれている請求項１記載の装置。
【請求項６】  無線通信装置の動作に関連した主プログラムを記憶するための第１の記憶位置および前記第１の記憶位置とは異なる第２の記憶位置を有するプログラム可能なメモリを備えた無線通信装置と、
前記無線通信装置用の選択可能なオプション機能のセットを受取るためにプログラム可能なメモリに結合されたポートと、
選択可能なオプション機能のセットを前記第２の記憶位置に記憶するために前記ポートに送信するために前記ポートに結合されたプログラマと、
主プログラムを選択可能なオプション機能のセットと関連させるためのリンク素子とを含んでおり、
前記プログラマは、前記第１の記憶位置に対する主プログラムの記憶とは無関係に前記選択可能なオプション機能のセットを前記第２の記憶位置に記憶し、
前記リンク素子は前記選択可能なオプション機能のセットが前記第２の記憶位置に記憶されたことを示すようにプログラマにより設定されるインジケータを有している無線通信装置用のプログラミングシステム。
【請求項７】  前記リンク素子は、前記選択可能なオプション機能のセットを記憶すべきプログラム可能なメモリ中の場所にプログラマを導くためのポインタを含んでいる請求項６記載のシステム。
【請求項８】  前記リンク素子は、第１の記憶位置とは異なるプログラム可能なメモリの記憶位置に記憶される請求項６記載のシステム。
【請求項９】  前記選択可能なオプション機能のセットはプログラム可能なメモリ中の記憶位置を識別するためのポインタを含んでいる請求項６記載のシステム。
【請求項１０】  前記リンク素子は、プログラマによって活動化されるまで非活動的なままであり、前記プログラマは、選択可能なオプション機能のセットを第２の記憶位置に記憶するために送信するときに前記リンク素子を活動化する請求項６記載のシステム。
【請求項１１】  無線通信装置の動作に関連した主プログラムを記憶するための第１の記憶位置および前記第１の記憶位置とは異なる第２の記憶位置を有するプログラム可能なメモリを備えた無線通信装置と、
前記無線通信装置用の選択可能なオプション機能のセットを受取るためにプログラム可能なメモリに結合されたポートと、
選択可能なオプション機能のセットを前記第２の記憶位置に記憶するために前記ポートに送信するために前記ポートに結合されたプログラマと、
主プログラムを選択可能なオプション機能のセットと関連させるためのリンク素子とを含んでおり、
前記プログラマは、前記第１の記憶位置に対する主プログラムの記憶とは無関係に前記選択可能なオプション機能のセットを前記第２の記憶位置に記憶し、
前記リンク素子は、プログラム可能なメモリ中の記憶位置を識別するための複数のポインタを有する２次リンク素子を識別するポインタを含んでいる無線通信装置用のプログラミングシステム。
【請求項１２】  無線通信装置の動作に関連した主プログラムを記憶するための第１の記憶位置および前記第１の記憶位置とは異なる第２の記憶位置を有するプログラム可能なメモリを備えた無線通信装置と、
前記無線通信装置用の選択可能なオプション機能のセットを受取るためにプログラム可能なメモリに結合されたポートと、
選択可能なオプション機能のセットを前記第２の記憶位置に記憶するために前記ポートに送信するために前記ポートに結合されたプログラマと、
主プログラムを選択可能なオプション機能のセットと関連させるためのリンク素子とを含んでおり、
前記プログラマは、前記第１の記憶位置に対する主プログラムの記憶とは無関係に前記選択可能なオプション機能のセットを前記第２の記憶位置に記憶し、
前記選択可能なオプション機能のセットは、プログラム可能なメモリ中の複数の対応した記憶位置を識別するための複数のポインタを有する２次リンク素子を含んでいる無線通信装置用のプログラミングシステム。
【請求項１３】  無線通信装置の動作に関連した主プログラムを記憶するための第１の記憶位置および前記第１の記憶位置とは異なる第２の記憶位置を有するプログラム可能なメモリを備えた無線通信装置と、
前記無線通信装置用の選択可能なオプション機能のセットを受取るためにプログラム可能なメモリに結合されたポートと、
選択可能なオプション機能のセットを前記第２の記憶位置に記憶するために前記ポートに送信するために前記ポートに結合されたプログラマと、
主プログラムを選択可能なオプション機能のセットと関連させるためのリンク素子とを含んでおり、
前記プログラマは、前記第１の記憶位置に対する主プログラムの記憶とは無関係に前記選択可能なオプション機能のセットを前記第２の記憶位置に記憶し、
前記選択可能なオプション機能のセットは、そのセットの１つが第２の記憶位置に記憶されたことを示すための第１のインジケータと、前記セットの１つが記憶された第２の記憶位置におけるメモリ位置、メモリ位置のサイズ、または前記選択可能なオプション機能のセットの１つのタイプを識別するための第２のインジケータとを含んでいる無線通信装置用のプログラミングシステム。
【請求項１４】  無線通信装置の動作に関連した主プログラムを記憶するための第１の記憶位置と、
選択可能なオプション機能のセットを主プログラムとは無関係に記憶するようにプログラム可能な第２の記憶位置と、
前記第２の記憶位置が選択可能なオプション機能のセットを記憶するようにプログラムされたときに、主プログラムを選択可能なオプション機能のセットと関連させるためのリンク素子と、
前記選択可能なオプション機能のセットが前記第２の記憶位置に記憶された状態になったことを示すためのインジケータとを含んでおり、
選択可能なオプション機能のセットは、第１または第２の記憶位置中の複数の対応したメモリ位置を識別するための複数のポインタを有する２次リンク素子を含み、前記対応したメモリ位置は選択可能なオプション機能のセットの１つを記憶するようにプログラム可能である無線通信装置。
【請求項１５】  リンク素子は、第１の記憶位置に記憶された主プログラムの一部分である請求項１４記載の装置。
【請求項１６】  選択可能なオプション機能のセットは、ダイヤルプランシステム、暗号化システム、ブラウザシステムまたは言語システムの１つを含んでいる請求項１４記載の装置。